(57)【要約】【課題】アンテナを建造物の壁面に強固に取り付けることが可能なアンテナ用壁面取り付け金具、を提供する。【解決手段】アンテナ用壁面取り付け金具１０は、平面視において長手方向を有し、その長手方向が鉛直方向に沿うように建造物の壁面１１０に当接される当接面２５ａを含む壁面取り付け部２１と、壁面取り付け部２１から当接面２５ａより遠ざかる方向に延出する延出部３１と、延出部３１の端部に連結され、アンテナを支持するためのアンテナ支持部４１と、当接面２５ａから突出するように壁面取り付け部２１に設けられ、壁面取り付け部２１を壁面１１０に締結する複数の木ネジ５１とを備える。当接面２５ａは、上端部２３および下端部２４を有する。下端部２４よりも上端部２３に近い領域に設けられる木ネジ５１の数が、上端部２３よりも下端部２４に近い領域に設けられる木ネジ５１の数よりも多い。【選択図】図１
0003199111.tif 000002
【実用新案登録請求の範囲】
【請求項１】
平面視において長手方向を有し、その長手方向が鉛直方向に沿うように建造物の壁面に当接される当接面を含む壁面取り付け部と、
前記壁面取り付け部から前記当接面より遠ざかる方向に延出する延出部と、
前記壁面取り付け部から延出する先の前記延出部の端部に連結され、アンテナを支持するためのアンテナ支持部と、
前記当接面から突出するように前記壁面取り付け部に設けられ、前記壁面取り付け部を建造物の壁面に締結する複数の締結部材とを備え、
前記当接面は、前記長手方向における両端に上端部および下端部を有し、
前記下端部よりも前記上端部に近い領域に設けられる前記締結部材の数が、前記上端部よりも前記下端部に近い領域に設けられる前記締結部材の数よりも多い、アンテナ用壁面取り付け金具。
【請求項２】
前記延出部が前記壁面取り付け部から延出する位置は、前記上端部よりも前記下端部に近い領域にある、請求項１に記載のアンテナ用壁面取り付け金具。
【請求項３】
前記当接面は、その平面視において前記長手方向に直交し、前記長手方向における長さよりも短い長さの幅方向をさらに有し、
複数の前記締結部材は、前記幅方向における前記当接面の中心に一直線に並んで設けられる、請求項１または２に記載のアンテナ用壁面取り付け金具。
【請求項４】
前記当接面の平面視方向において、前記締結部材と、前記アンテナ支持部とは、重なり合って配置され、
前記アンテナ支持部は、前記延出部に対して着脱可能に設けられる、請求項３に記載のアンテナ用壁面取り付け金具。
【考案の詳細な説明】
【技術分野】
【０００１】
この考案は、アンテナを建造物の壁面に取り付けるためのアンテナ用壁面取り付け金具に関する。
【背景技術】
【０００２】
従来のアンテナ用壁面取り付け金具に関して、たとえば、特開２０１４−６６６４２号公報には、取り付け対象物を建造物の壁面に固定する際に、その取り付け作業の邪魔になることなく、取り付け対象物を見栄えよく設置することを目的とした、傾き検出器および固定具が開示されている（特許文献１）。
【０００３】
特許文献１では、アンテナ装置を建造物の壁面または支柱に固定するために、取り付け金具が用いられる。取り付け金具は、建造物の壁面または支柱に当接される当接部と、当接部の上下両端縁から当接部の当接面とは直交する方向に延設される一対の支持片と、一対の支持片を貫通するように設けられるボルトとから構成されている。
【先行技術文献】
【特許文献】
【０００４】
【特許文献１】特開２０１４−６６６４２号公報
【考案の概要】
【考案が解決しようとする課題】
【０００５】
上述の特許文献１に開示されるように、ＵＨＦ平面アンテナや衛星放送受信用アンテナといったアンテナを建造物の壁面に固定するための手段として、アンテナ用壁面取り付け金具が利用されている。このようなアンテナ用壁面取り付け金具を、木ネジやドリルネジ等の締結部材により建造物の壁面に締結する場合、締結部材を建造物内側の補強材にまで螺合させる。
【０００６】
しかしながら、建築技術の進歩に伴って、木材や鋼材等の補強材の幅が狭くなる傾向にあり、このため、アンテナ用壁面取り付け金具に設ける締結部材の数や配置に関する制約が大きくなっている。アンテナ用壁面取り付け金具には、アンテナの重量のほか、アンテナが雨風や雪などに晒されることによる外力が作用する。このため、このような制約のもとにあっても、アンテナを建造物の壁面に強固に取り付けることが可能なアンテナ用壁面取り付け金具が求められている。
【０００７】
そこでこの考案の目的は、上記の課題を解決することであり、アンテナを建造物の壁面に強固に取り付けることが可能なアンテナ用壁面取り付け金具を提供することである。
【課題を解決するための手段】
【０００８】
この考案に従ったアンテナ用壁面取り付け金具は、平面視において長手方向を有し、その長手方向が鉛直方向に沿うように建造物の壁面に当接される当接面を含む壁面取り付け部と、壁面取り付け部から当接面より遠ざかる方向に延出する延出部と、壁面取り付け部から延出する先の延出部の端部に連結され、アンテナを支持するためのアンテナ支持部と、当接面から突出するように壁面取り付け部に設けられ、壁面取り付け部を建造物の壁面に締結する複数の締結部材とを備える。当接面は、長手方向における両端に上端部および下端部を有する。下端部よりも上端部に近い領域に設けられる締結部材の数が、上端部よりも下端部に近い領域に設けられる締結部材の数よりも多い。
【０００９】
このように構成されたアンテナ用壁面取り付け金具によれば、アンテナから受ける力に起因して、壁面取り付け部には、下端部を支点にして当接面が建造物の壁面から離れる方向の力が加わる。本考案では、下端部よりも上端部に近い領域に設けられる締結部材の数を、上端部よりも下端部に近い領域に設けられる締結部材の数よりも多くすることによって、締結部材による締結力を、壁面取り付け部に加わる上記力に抗する力として効率的に作用させることができる。これにより、アンテナを建造物の壁面に強固に取り付けることができる。
【００１０】
また好ましくは、延出部が壁面取り付け部から延出する位置は、上端部よりも下端部に近い領域にある。
【００１１】
このように構成されたアンテナ用壁面取り付け金具によれば、アンテナから受ける力が、当接面が建造物の壁面から離れる方向の力となって壁面取り付け部に加わることを抑制できる。
【００１２】
また好ましくは、当接面は、その平面視において長手方向に直交し、長手方向における長さよりも短い長さの幅方向をさらに有する。複数の締結部材は、幅方向における当接面の中心に一直線に並んで設けられる。
【００１３】
このように構成されたアンテナ用壁面取り付け金具によれば、当接面の幅方向において複数の締結部材をコンパクトに配置することができる。
【００１４】
また好ましくは、当接面の平面視方向において、締結部材と、アンテナ支持部とは、重なり合って配置される。アンテナ支持部は、延出部に対して着脱可能に設けられる。
【００１５】
このように構成されたアンテナ用壁面取り付け金具によれば、壁面に対する壁面取り付け部の締結時、アンテナ支持部を延出部から取り外すことによって、締結部材に容易にアクセスすることができる。
【考案の効果】
【００１６】
以上に説明したように、この考案に従えば、アンテナを建造物の壁面に強固に取り付けることが可能なアンテナ用壁面取り付け金具を提供することができる。
【図面の簡単な説明】
【００１７】
【図１】この考案の実施の形態におけるアンテナ用壁面取り付け金具を示す斜視図である。
【図２】図１中のアンテナ用壁面取り付け金具を用いてアンテナを壁面に取り付ける態様を示す側面図である。
【図３】図１中のアンテナ用壁面取り付け金具を示す側面図である。
【図４】図３中の矢印ＩＶに示す方向から見たアンテナ用壁面取り付け金具を示す正面図である。
【図５】図３中の矢印Ｖに示す方向から見たアンテナ用壁面取り付け金具を示す上面図である。
【図６】図３中のＶＩ−ＶＩ線上に沿った方向から見た壁面取り付け部を示す図である。
【図７】図１中のＶＩＩ−ＶＩＩ線上に沿った壁面取り付け部および建造物の壁面を示す断面図である。
【図８】図１中のアンテナ用壁面取り付け金具を壁面に設置する第１工程を示す斜視図である。
【図９】図１中のアンテナ用壁面取り付け金具を壁面に設置する第２工程を示す斜視図である。
【考案を実施するための形態】
【００１８】
この考案の実施の形態について、図面を参照して説明する。なお、以下で参照する図面では、同一またはそれに相当する部材には、同じ番号が付されている。
【００１９】
図１は、この考案の実施の形態におけるアンテナ用壁面取り付け金具を示す斜視図である。図２は、図１中のアンテナ用壁面取り付け金具を用いてアンテナを壁面に取り付ける態様を示す側面図である。
【００２０】
図１および図２を参照して、本実施の形態におけるアンテナ用壁面取り付け金具１０は、アンテナ１２０を建造物の壁面１１０に取り付けるための取り付け金具である。
【００２１】
アンテナ１２０は、電波を受信するアンテナ本体１２１と、アンテナ本体１２１をアンテナ用壁面取り付け金具１０に留め付けるための留め付け部１２２とを有する。図２中には、衛星放送電波（ＢＳ放送，ＣＳ放送）を受信するためのパラボラアンテナが示されているが、これに限られず、アンテナ１２０は、地上デジタル放送電波を受信するための平面アンテナや小型八木式アンテナであってもよい。
【００２２】
図３は、図１中のアンテナ用壁面取り付け金具を示す側面図である。図４は、図３中の矢印ＩＶに示す方向から見たアンテナ用壁面取り付け金具を示す正面図である。図５は、図３中の矢印Ｖに示す方向から見たアンテナ用壁面取り付け金具を示す上面図である。図６は、図３中のＶＩ−ＶＩ線上に沿った方向から見た壁面取り付け部を示す図である。
【００２３】
図１から図６を参照して、アンテナ用壁面取り付け金具１０は、壁面取り付け部２１と、延出部３１と、アンテナ支持部４１と、複数の木ネジ５１（木ネジ５１Ａ，木ネジ５１Ｂ，木ネジ５１Ｃ，木ネジ５１Ｄ）とを有する。
【００２４】
壁面取り付け部２１は、壁面１１０に取り付けられる部位であり、アンテナ用壁面取り付け金具１０と壁面１１０との接点をなす。壁面取り付け部２１は、アルミニウム等の金属から形成されている。
【００２５】
壁面取り付け部２１は、その構成部位として、底部２５と、側部２６および側部２７とを有する。底部２５は、平板形状を有する。側部２６および側部２７は、底部２５の表面から立ち上がるように設けられている。側部２６および側部２７は、互いに間隔を隔てて平行に配置されている。
【００２６】
壁面取り付け部２１は、当接面２５ａを有する。当接面２５ａは、平面形状を有する。当接面２５ａは、平板形状を有する底部２５の一方の面により構成されている。当接面２５ａは、その平面視において長手方向（図１および図６中の矢印２０１に示す方向）を有する。当接面２５ａは、その長手方向に沿って帯状に延びる形状を有する。壁面取り付け部２１は、当接面２５ａが壁面１１０に当接するように設けられる。壁面取り付け部２１は、当接面２５ａの長手方向が鉛直方向に沿うように設けられる。
【００２７】
当接面２５ａは、その平面視において長手方向に直交し、長手方向における長さよりも短い長さの幅方向（図１および図６中の矢印２０２に示す方向）をさらに有する。当接面２５ａは、長手方向を長辺とし、幅方向を短辺とする略矩形の平面視を有する。側部２６および側部２７は、当接面２５ａの幅方向に間隔を隔てて設けられ、当接面２５ａの長手方向に沿って延在する。
【００２８】
当接面２５ａは、上端部２３および下端部２４を有する。上端部２３および下端部２４は、長手方向における当接面２５ａの両端に設けられている。壁面取り付け部２１が壁面１１０に締結された状態において、上端部２３は、当接面２５ａのうちで最も鉛直上側に配置される部位であり、下端部２４は、当接面２５ａのうちで最も鉛直下側に配置される部位である。
【００２９】
延出部３１は、アンテナ支持部４１を壁面１１０から離れた位置に設けるための部位である。延出部３１は、アルミニウム等の金属から形成されている。延出部３１は、一方向に延びる棒部材から構成されている。延出部３１は、矩形断面のパイプ材から構成されている。
【００３０】
延出部３１は、壁面取り付け部２１から当接面２５ａより遠ざかる方向に延出する。延出部３１は、壁面取り付け部２１から壁面１１０より遠ざかる方向に延出する。図３中に示す側面視において、延出部３１は、壁面取り付け部２１と直角に交わるように設けられている。
【００３１】
延出部３１の一方端は、側部２６および側部２７の間に配置されている。延出部３１は、側部２６、延出部３１および側部２７を貫通するボルト３６を用いて、壁面取り付け部２１に締結されている。
【００３２】
アンテナ支持部４１は、アンテナ１２０を支持するための部位である。アンテナ支持部４１は、アルミニウム等の金属から形成されている。アンテナ支持部４１は、一方向に延びる棒部材から構成されている。アンテナ支持部４１は、円形断面のポールから構成されている。
【００３３】
アンテナ支持部４１は、壁面取り付け部２１から延出する先の延出部３１の端部に連結されている。アンテナ支持部４１は、壁面取り付け部２１との連結端から鉛直上方向に延びている。図３中に示す側面視において、アンテナ支持部４１は、延出部３１と直角に交わるように設けられている。図３中に示す側面視において、アンテナ支持部４１は、壁面取り付け部２１と平行となるように設けられている。
【００３４】
図７は、図１中のＶＩＩ−ＶＩＩ線上に沿った壁面取り付け部および建造物の壁面を示す断面図である。
【００３５】
図１から図７を参照して、壁面取り付け部２１には、複数の貫通孔５６が形成されている。貫通孔５６は、底部２５を貫通し、当接面２５ａに開口するように形成されている。貫通孔５６には、壁面取り付け部２１を壁面１１０に締結するための木ネジ５１が挿通される。
【００３６】
建造物の壁面１１０は、外壁材６１と、スペーサ６２と、断熱材６３と、補強材としての木材６４とを含む。外壁材６１、スペーサ６２、断熱材６３および木材６４は、壁面１１０の外側から内側に向けて順に積層されている。外壁材６１、スペーサ６２および断熱材６３には、通し孔６６が形成されている。通し孔６６は、木ネジ５１よりも大径を有し、外壁材６１、スペーサ６２および断熱材６３の積層方向に貫通するように設けられている。木ネジ５１は、貫通孔５６に挿通されることにより、当接面２５ａから突出する。木ネジ５１が、さらに通し孔６６に挿通され、その先で木材６４に螺合されることによって、壁面取り付け部２１が壁面１１０に締結される。
【００３７】
図６を参照して、当接面２５ａのうちで下端部２４よりも上端部２３に近い領域を上側領域３１０と呼び、上端部２３よりも下端部２４に近い領域を下側領域３２０と呼ぶ。当接面２５ａがその長手方向において長さＬを有し、長手方向における当接面２５ａの中心を中心線１０２により表した場合に、上側領域３１０は、上端部２３および中心線１０２の間の領域となり、下側領域３２０は、中心線１０２および下端部２４の間の領域となる。
【００３８】
本実施の形態におけるアンテナ用壁面取り付け金具１０においては、上側領域３１０に設けられる木ネジ５１の数が、下側領域３２０に設けられる木ネジ５１の数よりも多い。より具体的には、上側領域３１０には、木ネジ５１Ａ、木ネジ５１Ｂおよび木ネジ５１Ｃの３本の木ネジ５１が設けられ、下側領域３２０には、木ネジ５１Ｄの１本の木ネジ５１が設けられている。
【００３９】
図２および図６を参照して、アンテナ用壁面取り付け金具１０には、アンテナ１２０の重量のほか、アンテナ１２０が雨風や雪などに晒されることによる外力が作用する。これらアンテナ１２０から受ける力に起因して、壁面取り付け部２１には、下端部２４を支点にして当接面２５ａが壁面１１０から離れる方向の力（図２中の矢印２０３に示す方向の力）が加わる。これに対して、本実施の形態では、上側領域３１０に設けられる木ネジ５１の数が、下側領域３２０に設けられる木ネジ５１の数よりも多い構成により、木ネジ５１による締結力を、壁面取り付け部２１に加わる上記力に抗する力として効率的に作用させることができる。これにより、アンテナ１２０を壁面１１０に強固に取り付けることができる。
【００４０】
図６を参照して、複数の木ネジ５１の配置についてさらに詳細に説明すると、木ネジ５１Ａは、当接面２５ａの長手方向において上端部２３に隣り合った位置に設けられている。木ネジ５１Ａ、木ネジ５１Ｂおよび木ネジ５１Ｃは、当接面２５ａの長手方向に間隔を隔てて設けられている。木ネジ５１Ａ、木ネジ５１Ｂおよび木ネジ５１Ｃは、等間隔に設けられている。
【００４１】
木ネジ５１Ｄは、当接面２５ａの長手方向において下端部２４に隣り合った位置に設けられている。木ネジ５１Ｄは、当接面２５ａの長手方向において中心線１０２よりも下端部２４に近い位置に設けられている。
【００４２】
複数の木ネジ５１（木ネジ５１Ａ，木ネジ５１Ｂ，木ネジ５１Ｃ，木ネジ５１Ｄ）は、当接面２５ａの長手方向に沿って一列に並んで設けられている。当接面２５ａがその幅方向において長さＢを有し、幅方向における当接面２５ａの中心を中心線１０１により表した場合に、複数の木ネジ５１（木ネジ５１Ａ，木ネジ５１Ｂ，木ネジ５１Ｃ，木ネジ５１Ｄ）は、中心線１０１上に並んで設けられている。
【００４３】
このような構成によれば、複数の木ネジ５１が当接面２５ａの幅方向においてコンパクトに配置されるため、図７中の補強材としての木材６４の幅が狭い場合であっても、木ネジ５１による壁面取り付け部２１の締結が可能となる。
【００４４】
なお、本実施の形態では、壁面内部の補強材が木材６４であることを想定して木ネジ５１を用いたが、このような構成に限られず、壁面取り付け部２１の締結には各種の締結部材が用いられる。たとえば、壁面内部の補強材が鋼材である場合、金属への螺合を前提としたドリルネジが用いられる。
【００４５】
図１から図６を参照して、延出部３１が壁面取り付け部２１から延出する位置は、上端部２３よりも下端部２４に近い位置、すなわち、下側領域３２０にある。延出部３１が壁面取り付け部２１から延出する位置は、当接面２５ａの長手方向において、中心線１０２と木ネジ５１Ｄとの間にある。
【００４６】
このような構成によれば、アンテナ１２０からの力が壁面取り付け部２１に加わる位置を、下端部２４により近づけることができる。これにより、アンテナ１２０から受ける力が、当接面２５ａが壁面１１０から離れる方向の力となって壁面取り付け部２１に加わることを抑制することができる。
【００４７】
図８および図９は、図１中のアンテナ用壁面取り付け金具を壁面に設置する工程を示す斜視図である。図８および図９を参照して、アンテナ支持部４１は、延出部３１に対して着脱可能に設けられている。
【００４８】
より具体的に説明すると、延出部３１には、挿入孔３２が形成されている。挿入孔３２は、アンテナ支持部４１の断面に対応する形状（本実施の形態では、円形）の開口面を有する。挿入孔３２は、上下方向において延出部３１を貫通する。アンテナ支持部４１は、挿入孔３２に挿入される。アンテナ支持部４１は、延出部３１およびアンテナ支持部４１を貫通するボルト４６を用いて、延出部３１に締結される。このような構成により、アンテナ支持部４１は、ボルト４６による締結および締結の解除を通じて延出部３１に対して着脱される。
【００４９】
図４および図６を参照して分かるように、当接面２５ａの平面視方向において、木ネジ５１（木ネジ５１Ａ，木ネジ５１Ｂ，木ネジ５１Ｃ）と、アンテナ支持部４１とは重なり合って配置されている。
【００５０】
本実施の形態では、まず、アンテナ支持部４１が未装着の状態の壁面取り付け部２１を、複数の木ネジ５１を用いて壁面１１０に締結する。この際、壁面取り付け部２１の前方にアンテナ支持部４１が存在しないため、木ネジ５１の締め付け作業を容易に行なうことができる。壁面取り付け部２１の締結後に、アンテナ支持部４１を挿入孔３２に挿入する。ボルト４６を用いてアンテナ支持部４１を延出部３１に締結することにより、アンテナ用壁面取り付け金具１０の設置が完了する。
【００５１】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００５２】
１０  アンテナ用壁面取り付け金具、２１  壁面取り付け部、２３  上端部、２４  下端部、２５  底部、２５ａ  当接面、２６，２７  側部、３１  延出部、３２  挿入孔、３６，４６  ボルト、４１  アンテナ支持部、５１，５１Ａ，５１Ｂ，５１Ｃ，５１Ｄ  木ネジ、５６  貫通孔、６１  外壁材、６２  スペーサ、６３  断熱材、６４  木材、６６  通し孔、１０１，１０２  中心線、１１０  壁面、１２０  アンテナ、１２１  アンテナ本体、１２２  留め付け部、３１０  上側領域、３２０  下側領域。
【図１】
0003199111.tif 000003
【図２】
0003199111.tif 000004
【図３】
0003199111.tif 000005
【図４】
0003199111.tif 000006
【図５】
0003199111.tif 000007
【図６】
0003199111.tif 000008
【図７】
0003199111.tif 000009
【図８】
0003199111.tif 000010
【図９】
0003199111.tif 000011